(57)【要約】【課題】カメラの外観を損わずに光源から発せられた閃光の色温度調整を行うことができるフラッシュ装置及びそれを備えたカメラとする。【解決手段】カメラ１のフラッシュ装置２０において、光源２１ａから発せられた閃光を一定の方向に照射する発光部２１と、発光部から照射された閃光の照射方向を所定の方向に変更させる反射鏡２２と、装置内部と装置外部との境界部に設けられて反射鏡で反射された閃光を装置外部に向かって透過させる透明体２３とを備え、閃光が光源から発せられてから透明体に達する前までの間に、当該閃光の色温度を調整する色温度調整部２４を備える。【選択図】図３
2006171087.tif 000002
【特許請求の範囲】
【請求項１】
光源から発せられた閃光を一定の方向に照射する発光部と、
前記発光部から照射された閃光の照射方向を所定の方向に変更させる反射鏡と、
装置内部と装置外部との境界部に設けられて前記反射鏡で反射された閃光を装置外部に向かって透過させる透明体と、
を備え、
閃光が前記光源から発せられてから前記透明体に達する前までの間に、当該閃光の色温度を調整する色温度調整部を備えることを特徴とするフラッシュ装置。
【請求項２】
前記色温度調整部は、前記発光部の前面に設けられた蛍光物質を塗布又は含有させたフィルタで構成されたものであることを特徴とする請求項１に記載のフラッシュ装置。
【請求項３】
前記色温度調整部は、前記反射鏡に蛍光物質を塗布して構成されたものであることを特徴とする請求項１に記載のフラッシュ装置。
【請求項４】
前記色温度調整部は、前記発光部のリフレクタに蛍光物質を塗布して構成されたものであることを特徴とする請求項１に記載のフラッシュ装置。
【請求項５】
前記反射鏡は、集光ミラーであり、前記発光部からの閃光を反射させる際に光線を集光することを特徴とする請求項１に記載のフラッシュ装置。
【請求項６】
前記反射鏡は、前記発光部から照射された閃光の照射方向を９０°変更する位置に設けられていることを特徴とする請求項１に記載のフラッシュ装置。
【請求項７】
請求項１〜６のいずれか一項に記載のフラッシュ装置を備えることを特徴とするカメラ。
【発明の詳細な説明】
【技術分野】
【０００１】
本発明は、フラッシュ装置及びそれを備えたカメラに関する。
【背景技術】
【０００２】
従来、デジタルカメラ等のカメラは、ストロボ光源等を有し撮影の瞬間に閃光を発生させるフラッシュ装置を備えている。ここで、前記ストロボ光源の光をそのまま被写体に対して照射して撮影すると、カメラの近くにある被写体が白くなり過ぎ、遠くのものに対して近くのものが不自然に浮いて見えることが多い。そのため、例えば前記ストロボ光源から発せられた光を透過させるカメラ表面のフレネルレンズ等に蛍光物質を塗布した色温度調整部を設け、当該色温度調整部によって黄色味掛かった光を被写体に照射することで、被写体が浮いて見える不具合を解消するようにしている（例えば、特許文献１参照）。
【特許文献１】特開２００１−１３５５４号公報
【発明の開示】
【発明が解決しようとする課題】
【０００３】
しかしながら、前記したように、フレネルレンズ等のカメラの表面の部材に蛍光物質を塗布して色温度調整部を構成すると、フレネルレンズが黄色味掛かった色になってしまい、カメラのデザイン上の観点から、他の部位との調和が取れない見た目の悪い外観になってしまうという問題が生じていた。
【０００４】
そこで、本発明の課題は、カメラの外観を損わずに光源から発せられた閃光の色温度調整を行うことができるフラッシュ装置及びそれを備えたカメラを提供することを目的とする。
【課題を解決するための手段】
【０００５】
請求項１に記載の発明は、フラッシュ装置において、
光源から発せられた閃光を一定の方向に照射する発光部と、
前記発光部から照射された閃光の照射方向を所定の方向に変更させる反射鏡と、
装置内部と装置外部との境界部に設けられて前記反射鏡で反射された閃光を装置外部に向かって透過させる透明体と、
を備え、
閃光が前記光源から発せられてから前記透明体に達する前までの間に、当該閃光の色温度を調整する色温度調整部を備えることを特徴としている。
【０００６】
このように請求項１に記載の発明によれば、フラッシュ装置において、光源から発せられた閃光を一定の方向に照射する発光部と、発光部から照射された閃光の照射方向を所定の方向に変更させる反射鏡と、装置内部と装置外部との境界部に設けられて反射鏡で反射された閃光を装置外部に向かって透過させる透明体とを備え、閃光が光源から発せられてから透明体に達する前までの間に、当該閃光の色温度を調整する色温度調整部を備えるため、カメラの表面の透明体には色を付けずに閃光の色温度調整を行うことができる。
【０００７】
請求項２に記載の発明は、請求項１に記載のフラッシュ装置において、
前記色温度調整部は、前記発光部の前面に設けられた蛍光物質を塗布又は含有させたフィルタで構成されたものであることを特徴としている。
【０００８】
このように請求項２に記載の発明によれば、色温度調整部は、発光部の前面に設けられた蛍光物質を塗布又は含有させたフィルタで構成されたものであるため、具体的にカメラの表面の透明体には色を付けずに閃光の色温度調整を行う構成とすることができる。
【０００９】
請求項３に記載の発明は、請求項１に記載のフラッシュ装置において、
前記色温度調整部は、前記反射鏡に蛍光物質を塗布して構成されたものであることを特徴としている。
【００１０】
このように請求項３に記載の発明によれば、色温度調整部は、反射鏡に蛍光物質を塗布して構成されたものであるため、具体的にカメラの表面の透明体には色を付けずに閃光の色温度調整を行う構成とすることができる。
【００１１】
請求項４に記載の発明は、請求項１に記載のフラッシュ装置において、
前記色温度調整部は、前記発光部のリフレクタに蛍光物質を塗布して構成されたものであることを特徴としている。
【００１２】
このように請求項４に記載の発明によれば、色温度調整部は、発光部のリフレクタに蛍光物質を塗布して構成されたものであるため、具体的にカメラの表面の透明体には色を付けずに閃光の色温度調整を行う構成とすることができる。
【００１３】
請求項５に記載の発明は、請求項１に記載のフラッシュ装置において、
前記反射鏡は、集光ミラーであり、前記発光部からの閃光を反射させる際に光線を集光することを特徴としている。
【００１４】
このように請求項５に記載の発明によれば、反射鏡は、集光ミラーであり、発光部からの閃光を反射させる際に光線を集光するため、具体的にカメラの表面の透明体には色を付けずに閃光の色温度調整を行う構成とすることができる。
【００１５】
請求項６に記載の発明は、請求項１に記載のフラッシュ装置において、
前記反射鏡は、前記発光部から照射された閃光の照射方向を９０°変更する位置に設けられていることを特徴としている。
【００１６】
このように請求項６に記載の発明によれば、反射鏡は、発光部から照射された閃光の照射方向を９０°変更する位置に設けられているため、具体的にカメラの表面の透明体には色を付けずに閃光の色温度調整を行う構成とすることができる。
【００１７】
請求項７に記載の発明は、カメラにおいて、
請求項１〜６のいずれか一項に記載のフラッシュ装置を備えることを特徴としている。
【００１８】
このように請求項７に記載の発明によれば、カメラにおいて、請求項１〜６のいずれか一項に記載のフラッシュ装置を備えるため、表面の透明体には色を付けずにフラッシュ装置の閃光の色温度調整を行うことができるカメラとすることができる。
【発明の効果】
【００１９】
本発明によれば、カメラの表面の透明体には色を付けずに閃光の色温度調整を行うことができるため、カメラの外観を損わずに光源から発せられた閃光の色温度調整を行うことができるフラッシュ装置及びそれを備えたカメラとすることができる。
【発明を実施するための最良の形態】
【００２０】
以下、本発明に係るフラッシュ装置及びそれを備えたカメラの一実施形態について、図面を参照して説明する。ただし、以下は本発明の一実施形態であって本発明を限定するものではない。例えば、本実施形態では、カメラとしてデジタルカメラを用いて説明するが、これに限るものではなく、本発明はデジタルカメラ以外のカメラにも適用可能である。
【００２１】
図１は、本発明に係るカメラの一実施形態としてのデジタルカメラを示す概略斜視図である。また、図２は、図１のデジタルカメラの概略背面図である。さらに、図３は、本発明に係るフラッシュ装置の一実施形態を示す概略図である。
【００２２】
図１に示すように、本実施形態におけるデジタルカメラ１は、略矩形状に成型された筐体２を具備しており、この筐体２の上面には、図１及び図２に示すように、電源ボタン３と、モード切替部４と、シャッタボタン５とが配設されている。
【００２３】
電源ボタン３は、押動自在なボタンスイッチにより構成され、押動操作によって電源をオン又はオフに切り替えるようになっている。
モード切替部４は、一定方向に移動自在なスライドスイッチにより構成され、スライド操作によって撮影モードと、再生モードと、設定モードとに切り替えるようになっている。
【００２４】
シャッタボタン５は、押動自在なボタンスイッチにより構成され、撮影モード時には、押動操作によってレリーズを指示するようになっている。また、再生モード若しくは設定モード時には、押動操作によって各種案内若しくは選択画面におけるコマンドの実行を指示するようになっている。
【００２５】
一方、図２に示すように、筐体２の下面には、開閉自在な板状の蓋部６と、通信部（図示省略）とが具備されている。
蓋部６の内側であって、筐体２の内部には、２つの格納部（図示省略）が設けられている。これら格納部は、内部中空となっており、電源である電池と、メモリーカード等の記録媒体とが、それぞれ専用の格納部に着脱自在に装着されるようになっている。
通信部には、入出力Ｉ／Ｆと、ＵＳＢやＬＡＮ等の通信Ｉ／Ｆとが具備されており、入出力Ｉ／Ｆを介して、通信Ｉ／Ｆに接続された外部機器との間で画像データ等を送受信するようになっている。
【００２６】
また、筐体２の背面には、図２に示すように、表示装置７と、光学ファインダ８と、案内表示ボタン９と、操作ボタン１０と、画面表示ボタン１１とが配設されている。
表示装置７は、ＬＣＤ（Liquid Crystal Display）等により構成されており、撮影モード時には、電子ファインダとして、被写体や、撮影条件等の撮影情報又は設定情報の各種情報が表示され、再生モード時には、各種案内画面若しくは指示画面又は選択した画像が表示されるようになっている。また、表示装置７には、指又は入力ペン等によるタッチ入力により、各種入力指示を行うタッチパネルとしての機能も具備されている。
【００２７】
光学ファインダ８は、表示部と、ファインダミラーと、ファインダレンズとから構成されており、表示部に撮像する画像の構図や、焦点距離等の各種情報が表示され、これら画像等がファインダミラーによって反転されて、ファインダレンズを介して視認されるようになっている。
【００２８】
案内表示ボタン９は、押動自在なボタンスイッチにより構成され、押動操作によって各種案内画面を選択することができるようになっている。
操作ボタン１０は、十字方向に押動自在な十字キーにより構成され、押動操作によって各種案内若しくは指示画面におけるコマンドの選択をすることが可能なようになっている。
【００２９】
画面表示ボタン１１は、押動自在なボタンスイッチにより構成され、押動操作によって表示装置７に各種情報を表示するか否か、また、表示される情報量をどの程度にするか、さらには、スルー画像自体を表示するか否かの選択を行うようになっている。
【００３０】
さらに、図１に示すように、筐体２の前面には、撮像装置１２と、フラッシュ装置２０とが配設されている。
撮像装置１２は、レンズ部と、鏡面部と、シャッタと、ＣＣＤ（Charge Coupled Device）やＣＭＯＳ（Complementary Metal Oxide Semiconductor）等の撮像素子とから構成されており、筐体２の前面側から入射する光束の軸（以下、光束軸）上に沿って、レンズ部、鏡面部、シャッタ、撮像素子の順に配設されている。そして、被写体の像の光束が前記した順に入射し、撮像素子において電気信号に変換されるようになっている。
【００３１】
また、フラッシュ装置２０は、写真撮影時に被写体に閃光を当てるための装置であり、本実施形態では、図３に示すように、発光部２１と、反射鏡２２と、透明体２３と、色温度調整部２４とを備えて構成されている。
【００３２】
発光部２１は、筐体２の内部に備えられており、デジタルカメラ１の左右方向に沿って配置された一又は複数のストロボ光源等からなる光源２１ａと、リフレクタ２１ｂとを備えている。本実施形態では、リフレクタ２１ｂの開口部が上側となるように配置されており、ストロボ光源から発せられた閃光をデジタルカメラ１の上方向に導くように構成されている。なお、ストロボ光源には、キセノン放電管のような閃光放電管が用いられている。
【００３３】
また、反射鏡２２は、発光部２１から照射された閃光の照射方向を変更させるために設けられるものである。本実施形態では、上方向に照射された閃光を９０°曲げてデジタルカメラ１の前方に向かうような角度、位置に配置されている。
【００３４】
また、透明体２３は、デジタルカメラ１の内部と外部の境界部となる筐体２の一部に取り付けられて、反射鏡２２で反射された閃光をカメラ外部に向かって透過させるものである。本実施形態では、透明体２３として、略平板状に形成されたフレネルレンズが取り付けられている。このフレネルレンズは、平面部にプリズムの集合体を配置したものであり、各プリズムの角度を調整して設計され、発光部２１から照射された閃光を強い光のままデジタルカメラ１の外方に拡散又は集光させるようになっている。
【００３５】
また、色温度調整部２４は、光源２１ａから発せられた閃光の色温度を所定の色温度に調整するために設けられるものであり、閃光が光源２１ａから発せられてから透明体２３に達する前までの間に設けられている。
ここで、色温度調整部２４は、蛍光という現象を利用して光の色温度を変換する機能を有する部位である。蛍光とは、ある波長の光を吸収し、別の波長で放射する現象である。そして、その蛍光現象を起こす蛍光物質をフィルタ、反射鏡（詳細は後述）又はリフレクタ（詳細は後述）等に塗布することで、色温度調整部２４を構成するようになっている。また、色温度調整部２４としては、蛍光現象を起こす蛍光物質をフィルタに予め含有させておいたものでも良い。
【００３６】
本実施形態では、色温度調整部２４は、発光部２１のリフレクタ２１ｂの開口部を覆うように、当該開口部の直上に設けられたフィルタで構成されており、当該フィルタに蛍光物質を塗布することで色温度調整機能を発揮するようにされている。
また、本発明では、光源からの閃光のうち、被写体を白く浮き立たせる光線を吸収（カット）するために、相対的に色温度の高い短波長側の光線を吸収して相対的に色温度の低い長波長側の光線を放射する蛍光物質を用いた色温度変換部を備えるようになっている。
【００３７】
そこで、本実施形態では、具体的に蛍光物質として例えばアントラセンを有する物質を用いている。この蛍光物質にストロボ光源からの閃光を当てると、図４のグラフに示すように、可視光領域のうち４１０ｎｍ以下の短波長側の光線をカットする性質を示すようになっており、この性質を利用して被写体を白く浮き立たせる青白い色を有する色温度の高い光線を吸収するようになっている。
【００３８】
なお、色温度調整部は、前記したフラッシュ装置２０のように、リフレクタ２１ｂの開口部の直上に設けられたフィルタに備えられたものに限るものではなく、他の部位に備えられていても良い。
【００３９】
例えば、図５に示すフラッシュ装置１２０のようになっていても良い。このフラッシュ装置１２０は、色温度調整部１２４が、反射鏡１２２に蛍光物質を蒸着等で塗布することにより構成されている。なお、蛍光物質の詳細は前記図３のフラッシュ装置２０と同様である。また、フラッシュ装置１２０における、光源１２１ａとリフレクタ１２１ｂを備えた発光部１２１と、透明体１２３とは、前記図３のフラッシュ装置２０と同様の構成である。
【００４０】
さらに、図６に示すフラッシュ装置２２０のようになっていても良い。このフラッシュ装置２２０は、色温度調整部２２４が、リフレクタ２２１ｂに蛍光物質を蒸着等で塗布することにより構成されている。また、図６のフラッシュ装置２２０は、反射鏡２２２が集光ミラーとなっており、発光部２２１からの閃光を反射させる際に光線を集光する方向に導くようになっている。そのため、透明体２２３はフレネルレンズではなく、単なる透明板で構成されている。なお、蛍光物質の詳細は前記図３のフラッシュ装置２０と同様である。また、フラッシュ装置２２０における光源２２１ａと、反射鏡２２２とは、前記図３のフラッシュ装置２０と同様の構成である。また、リフレクタ２２１ｂではなく、前記図５のように色温度調整部２２４が、反射鏡２２２の集光ミラーに蛍光物質を蒸着等で塗布することにより構成されていてもよい。
【００４１】
また、図７に示すフラッシュ装置３２０のようになっていても良い。このフラッシュ装置３２０は、ポップアップ式のフラッシュ装置であり、フラッシュ装置を使用しない収納時には、２点鎖線で示した状態となっており、フラッシュ装置を使用するときには、実線で示したようにカメラの上方にポップアップするように構成されている。なお、フラッシュ装置がポップアップするということ以外の構成、すなわち、フラッシュ装置３２０における、光源３２１ａとリフレクタ３２１ｂを備えた発光部３２１と、反射鏡３２２と、透明体３２３と、色温度調整部３２４とは、前記図５のフラッシュ装置１２０と同様の構成である。
【００４２】
次に前記した本実施形態における作用について説明する。
まず、ストロボ光源からの白過ぎる閃光の色温度を下げる色温度調整部が、カメラ表面（外部）のフレネルレンズではなく、カメラ内部の発光部のフィルタ、反射鏡又はリフレクタ等に設けられているため、フレネルレンズが黄色味掛かった色になってしまうことがなく、カメラのデザイン上の観点から、他の部位との調和が取れない見た目の悪い外観になってしまうことを防止できる。
【００４３】
その上で、写真撮影時に被写体に閃光を当てる場合には、光源から発せられた閃光が、発光部のフィルタ、反射鏡又はリフレクタ等に設けられている色温度調整部で色温度が下げられて被写体に向かって照射されることとなり、被写体が白浮きしない適切な色温度に調整された閃光を被写体に当てることができる。
【００４４】
以上のように、本実施形態におけるフラッシュ装置によれば、光源から発せられた閃光を一定の方向に照射する発光部と、発光部から照射された閃光の照射方向を所定の方向に変更させる反射鏡と、装置内部と装置外部との境界部に設けられて反射鏡で反射された閃光を装置外部に向かって透過させる透明体とを備え、閃光が光源から発せられてから透明体に達する前までの間に、当該閃光の色温度を調整する色温度調整部を備えるため、カメラの表面の透明体には色を付けずに閃光の色温度調整を行うことができる。
【００４５】
また、本実施形態では、色温度調整部は、発光部の前面に設けられた蛍光物質を塗布又は含有させたフィルタで構成されたものであるため、具体的にカメラの表面の透明体には色を付けずに閃光の色温度調整を行う構成とすることができる。
【００４６】
さらに、色温度調整部が、反射鏡に蛍光物質を塗布して構成されたものであっても、具体的にカメラの表面の透明体には色を付けずに閃光の色温度調整を行う構成とすることができる。
【００４７】
またさらに、色温度調整部が、発光部のリフレクタに蛍光物質を塗布して構成されたものであっても、具体的にカメラの表面の透明体には色を付けずに閃光の色温度調整を行う構成とすることができる。
【００４８】
また、本実施形態では、反射鏡は、発光部から照射された閃光の照射方向を９０°変更する位置に設けられているため、具体的にカメラの表面の透明体には色を付けずに閃光の色温度調整を行う構成とすることができる。
【００４９】
さらに、反射鏡が、集光ミラーであり、発光部からの閃光を反射させる際に光線を集光するものであっても、具体的にカメラの表面の透明体には色を付けずに閃光の色温度調整を行う構成とすることができる。
【００５０】
また、本実施形態におけるカメラによれば、前記したようなフラッシュ装置を備えるため、表面の透明体には色を付けずにフラッシュ装置の閃光の色温度調整を行うことができるカメラとすることができる。
【００５１】
これらの結果、カメラの表面の透明体には色を付けずに閃光の色温度調整を行うことができるため、カメラの外観を損わずに光源から発せられた閃光の色温度調整を行うことができるフラッシュ装置及びそれを備えたカメラとすることができる。
【００５２】
なお、本発明に係るフラッシュ装置及びカメラとしては、前記した実施形態に限るものではなく、他の構成のものにも適用可能である。
【図面の簡単な説明】
【００５３】
【図１】本発明に係るデジタルカメラの一実施形態を示す概略斜視図である。
【図２】図１のデジタルカメラの概略背面図である。
【図３】本発明に係るフラッシュ装置の一実施形態を示す概略図である。
【図４】色温度調整部による分光特性の例を示すグラフである。
【図５】フラッシュ装置の他の例を示す概略図である。
【図６】フラッシュ装置のさらに他の例を示す概略図である。
【図７】フラッシュ装置のまたさらに他の例を示す概略図である。
【符号の説明】
【００５４】
１    デジタルカメラ（カメラ）
２    筐体
３    電源ボタン
４    モード切替部
５    シャッタボタン
６    蓋部
７    表示装置
８    光学ファインダ
９    案内表示ボタン
１０  操作ボタン
１１  画面表示ボタン
１２  撮像装置
２０，１２０，２２０，３２０  フラッシュ装置
２１，１２１，２２１，３２１  発光部
２１ａ，１２１ａ，２２１ａ，３２１ａ  光源
２１ｂ，１２１ｂ，２２１ｂ，３２１ｂ  リフレクタ
２２，１２２，２２２，３２２  反射鏡
２３，１２３，３２３  フレネルレンズ（透明体）
２２３  透明板（透明体）
２４，１２４，２２４，３２４  色温度調整部
【図１】
2006171087.tif 000003
【図２】
2006171087.tif 000004
【図３】
2006171087.tif 000005
【図４】
2006171087.tif 000006
【図５】
2006171087.tif 000007
【図６】
2006171087.tif 000008
【図７】
2006171087.tif 000009